(57)【特許請求の範囲】
【請求項１】
原子炉圧力容器と、
前記原子炉圧力容器を格納する格納容器と、
前記格納容器の上方に位置する原子炉ウェルと、
前記格納容器のフランジ部より高く位置するウェル堰によって前記原子炉ウェルと隔てられた機器仮置きプールと、
前記原子炉ウェルの上部を閉塞するウェルカバーとを備えた原子力プラントにおいて、
前記ウェルカバーに挿通して設けられ、前記原子炉ウェルに注水を行う注水ラインと、
前記原子炉ウェルの床面に接続され、前記原子炉ウェルの水抜きを行うドレンラインと、
前記ドレンラインに一端が接続された検出配管と、
前記検出配管の他端に接続され、水頭圧によって前記原子炉ウェルの水位を計測する差圧式水位計と
を備え、
前記注水ラインを介して前記原子炉ウェルに注水を行う時に前記差圧式水位計で計測した前記原子炉ウェルの水位が上昇しなくなったことを検知することにより前記フランジ部の冠水状態を維持できるように構成されたことを特徴とする原子力プラント。
【請求項２】
請求項１に記載の原子力プラントにおいて、
前記検出配管は、前記ドレンラインから前記差圧式水位計に向かって上り勾配を有することを特徴とする原子力プラント。
【請求項３】
請求項１又は２に記載の原子力プラントにおいて、
前記差圧式水位計は、隔膜式水位計で構成されていることを特徴とする原子力プラント。
【請求項４】
請求項１乃至３のいずれか１項に記載の原子力プラントにおいて、
前記検出配管に接続された水張りラインを更に備え、
プラント運転中に前記水張りラインを介して前記ドレンラインの所定の水位まで注水し、前記検出配管を満水待機させることを特徴とする原子力プラント。
【請求項５】
請求項１乃至３のいずれか１項に記載の原子力プラントにおいて、
前記検出配管に接続された洗浄用ラインを更に備えたことを特徴とする原子力プラント。
【発明の詳細な説明】
【技術分野】
【０００１】
本発明は、原子炉ウェルを備えた原子力プラントに関するものである。
【背景技術】
【０００２】
原子力プラントでは、燃料から放出される放射線を遮蔽するため、定期検査時に燃料取り出し作業を行う際は、圧力容器上蓋および格納容器トップヘッドを取り外して燃料の取り出し経路となる圧力容器及び原子炉ウェルの水張りを行うとともに、水位計を用いて原子炉ウェル水位を監視する。
【０００３】
定期検査時に原子炉ウェル水位を監視する方法として、例えば特許文献１及び２に記載のものがある。特許文献１には、原子炉ウェルプールの上方に設置した原子炉ウェル水位計を用いて原子炉ウェル水位を監視する方法が記載されている（図５及び［００５６］等）。一方、特許文献２には、圧力容器の内部に連通する計装配管に接続された定検時水張り用水位計を用いて原子炉ウェル水位を監視する方法が記載されている（図１及び［００１６］等）。
【先行技術文献】
【特許文献】
【０００４】
【特許文献１】特開平１１−２０２０７９号公報
【特許文献２】特開２０１３−１０８８１０号公報
【発明の概要】
【発明が解決しようとする課題】
【０００５】
原子力プラントの安全性を向上するため、重大事故等の発生時に原子炉ウェルの水張りを行うことにより、格納容器と格納容器トップヘッドとを連結する格納容器フランジ部の過温破損を防止する方法が考案されている。
【０００６】
しかしながら、特許文献１に記載の原子炉ウェル水位計及び特許文献２に記載の定検時水張り用水位計は、いずれも圧力容器上蓋及び格納容器トップヘッドが取り外された状態（定期検査時）での使用を想定しており、圧力容器上蓋及び格納容器トップヘッドが取り付けられた状態（プラント運転時）は使用できない。また、原子炉ウェルの内壁には金属ライナーが施工されており、サポート金具等の取り付けができないため、既設プラントにおいて原子炉ウェルの内部に水位計を設置することは困難である。従って、重大事故等の発生時に原子炉ウェルへの注水を行った場合、原子炉ウェル水位を監視できないという課題が生じる。
【０００７】
本発明は、上記の課題に鑑みてなされたものであり、その目的は、プラント運転時に原子炉ウェルへの注水を行うとともに、原子炉ウェル水位を監視できる原子力プラントを提供することである。
【課題を解決するための手段】
【０００８】
上記課題を解決するために、本発明は、原子炉圧力容器と、前記原子炉圧力容器を格納する格納容器と、前記格納容器の上方に位置する原子炉ウェルと、前記原子炉ウェルの上部を閉塞するウェルカバーとを備えた原子力プラントにおいて、前記ウェルカバーに挿通して設けられ、前記原子炉ウェルに注水を行う注水ラインと、前記原子炉ウェルの床面に接続され、前記原子炉ウェルの水抜きを行うドレンラインと、前記ドレンラインに一端が接続された検出配管と、前記検出配管の他端に接続され、水頭圧によって前記原子炉ウェルの水位を計測する差圧式水位計とを備える。
【発明の効果】
【０００９】
本発明によれば、プラント運転時に原子炉ウェルへの注水を行うとともに、原子炉ウェル水位を監視できる。
【図面の簡単な説明】
【００１０】
【図１】本発明の第１の実施の形態に係る原子力プラントの概略構成図である。
【図２】本発明の第２の実施の形態に係る原子力プラントの概略構成図である。
【図３】本発明の第２の実施の形態に係る原子力プラントが備える隔膜式水位計の構成図である。
【図４】本発明の第３の実施の形態に係る原子力プラントの概略構成図である。
【発明を実施するための形態】
【００１１】
以下、本発明の実施の形態を、図面を参照して説明する。
【００１２】
＜第１の実施の形態＞
図１は、本発明の第１の実施の形態に係る原子力プラントの概略構成図である。図１において、原子力プラント１００は、原子炉圧力容器（以下、圧力容器という）１を格納する格納容器２と、格納容器２の上方に位置する原子炉ウェル３と、原子炉ウェル３の隣に位置する機器仮置きプール４と、原子炉ウェル３を挟んで機器仮置きプール４の反対側に位置する使用済燃料プール５とを備えている。
【００１３】
圧力容器１の上部には、圧力容器フランジ部１ａを介して圧力容器上蓋１ｂが取り付けられ、格納容器２の上部には、格納容器フランジ部２ａを介して格納容器トップヘッド２ｂが取り付けられ、原子炉ウェル３の上部はウェルカバー６によって閉塞されている。定期点検時は、圧力容器上蓋１ｂ、格納容器トップヘッド２ｂ及びウェルカバー６を取り外して圧力容器１及び原子炉ウェル３に水張りを行い、燃料交換等の作業を行う。なお、ウェルカバー６には原子炉ウェル注水ライン（以下、注水ラインという）１１が挿通して設けられており、プラント運転時も原子炉ウェル３への注水を行うことができる。
【００１４】
機器仮置きプール４は、水密性の低いスロットプラグ７によって原子炉ウェル３と仕切られており、原子炉ウェル３への注水時にウェル堰１０を越えた水が機器仮置きプール４に流出する。一方、使用済燃料プール５は、水密性の低いスロットプラグ８及び水密性の高いプールゲート９によって原子炉ウェル３と仕切られており、また、使用済燃料プール５にはプラント通常運転時も水が張られているため、原子炉ウェル３への注水時に原子炉ウェル３から使用済燃料プール５に水が流出することはない。
【００１５】
原子炉ウェル３の床面には、原子炉ウェル３の水抜きを行う原子炉ウェルドレンライン（以下、ドレンラインという）１２が接続され、ドレンライン１２の途中にはドレンライン１２を閉止する原子炉ウェルドレンライン止め弁（以下、ドレンライン止め弁という）１３が設けられている。これにより、原子炉ウェル３の水張り時はドレンライン止め弁１３まで満水状態となる。ドレンライン１２のドレンライン止め弁１３上流側には検出配管１４の一端が接続されており、検出配管１４の他端は差圧式水位計２０に接続されている。検出配管１４は、原子炉ウェル３の水抜き時にドレンライン１２からスラッジが混入して閉塞することを防止するため、ドレンライン１２から差圧式水位計２０に向かって上り勾配を有するように設けられている。検出配管１４の途中には検出元弁１５が設けられており、差圧式水位計２０は、原子炉ウェル注水時に検出元弁１５を開弁した状態で、水頭圧によって原子炉ウェル水位を計測することができる。
【００１６】
本実施の形態に係る原子力プラント３００では、重大事故等の発生時にドレンライン止め弁１３を閉弁して注水ライン１１から原子炉ウェル３へ注水を行う。その間、検出元弁１５を開弁して差圧式水位計２０を用いて原子炉ウェル水位を監視し、原子炉ウェル水位を格納容器フランジ部２ａより高い水位に保つ。これにより、格納容器フランジ部２ａが冠水して冷却されるため、格納容器フランジ部２ａの過温破損を防止することができる。
【００１７】
なお、本実施の形態においては、原子炉ウェル水が格納容器トップヘッド２ｂから伝わる熱によって膨張し、また、検出配管１４を水抜き待機とすることで原子炉ウェル３への注水時に検出配管１４内に空気が残留することにより、差圧式水位計２０による原子炉ウェル水位の計測精度の低下が懸念される。しかし、格納容器フランジ部２ａの冷却を目的として原子炉ウェル３の水張りを行う際は、下記の理由により高い計測精度は要求されないため、計測精度の低下は問題とならない。
【００１８】
（理由１）少なくとも原子炉ウェル水位が格納容器フランジ部２ａより高いことを検知できれば、格納容器フランジ部２ａの冠水状態を維持できる。
【００１９】
（理由２）原子炉ウェル３に注水を行い、原子炉ウェル水位が格納容器フランジ部２ａより高く位置するウェル堰１０の高さに達すると、それ以降、原子炉ウェル３の水はウェル堰１０を越えて機器仮置きプール４に流出し、機器仮置きプール４に設けられたドレンライン（図示せず）を介して排出されるため、原子炉ウェル水位は上昇しなくなる。従って、少なくとも原子炉ウェル３への注水時に原子炉ウェル水位が上昇しなくなったことを検知できれば、格納容器フランジ部２ａの冠水状態を維持できる。
【００２０】
上記のように構成した本実施の形態においては、圧力容器１及び格納容器２がそれぞれ圧力容器上蓋１ｂ及び格納容器トップヘッド２ｂによって封止され、かつ原子炉ウェル３の上部がウェルカバー６で閉塞されているプラント運転時に、原子炉ウェル注水ライン１１を介して原子炉ウェル３に注水を行うとともに、原子炉ウェルドレンライン１２に設けられた差圧式水位計２０によって原子炉ウェル水位を監視することができる。これにより、重大事故等の発生時に格納容器フランジ部２ａを冠水させて冷却することが可能となり、格納容器フランジ部２ａの過温破損を防止できる。また、差圧式水位計２０がドレンライン１２に接続されるため、既存プラントへの差圧式水位計２０の取り付けが容易である。
【００２１】
＜第２の実施の形態＞
図２は、本発明の第２の実施の形態に係る原子力プラントの概略構成図である。図２において、第１の実施の形態と同一の構成については同一の符号を付し、説明は省略する。
【００２２】
本実施の形態に係る原子力プラント２００は、第１の実施の形態における差圧式水位計２０に代えて隔膜式水位計３０を備え、更に、検出配管１４に接続された洗浄用ライン４０と、洗浄用ライン４０の途中に設けられた洗浄用ライン開閉弁４１とを備えている。原子炉ウェルドレンライン止め弁１３及び検出元弁１５を開弁するとともに、洗浄用ライン開閉弁４１を開弁して洗浄用ライン４０から洗浄水を供給することにより、検出配管１４を洗浄することができる。これにより、検出配管１４に混入したスラッジが除去され、隔膜式水位計３０による原子炉ウェル水位の計測精度の低下が抑制される。
【００２３】
図３は、隔膜式水位計３０の構成図である。図３において、隔膜式水位計３０は、圧力計３１と、圧力計３１に接続された圧力計配管３２ａ，３２ｂと、圧力計配管３２ａ，３２ｂのそれぞれに接続された隔膜３３ａ，３３ｂとを備えている。圧力計配管３２ａ，３２ｂ内には、圧力媒体として非圧縮性特殊液が充填されている。圧力計３１は、隔膜３３ａ及び圧力計配管３２ａを介して伝達される検出配管１４の水圧と隔膜３３ｂ及び圧力計配管３２ｂを介して伝達される大気圧との差圧に基づいて原子炉ウェル水位を計測する。
【００２４】
上記のように構成した本実施の形態においても、第１の実施の形態と同様の効果が得られる。さらに、原子炉ウェル水位を計測する差圧式水位計を隔膜式水位計３０で構成し、隔膜３３ａと圧力計３１との間が非圧縮性特殊液で充填された圧力計配管３２ａで接続したことにより、ドレンライン１２と隔膜式水位計３０とを接続する検出配管１４が短縮される。これにより、検出配管１４内の残留空気が減少し、隔膜式水位計３０による原子炉ウェル水位の計測精度の低下が抑制される。
【００２５】
＜第３の実施の形態＞
図４は、本発明の第３の実施の形態に係る原子力プラントの概略構成図である。図４において、第１の実施の形態と同一の構成については同一の符号を付し、説明は省略する。なお、図４は、原子炉ウェル３の水張りが行われる前のプラント通常運転時の状態を示している。
【００２６】
本実施の形態に係る原子力プラント３００は、検出配管１４に接続された純水供給ライン（水張りライン）５０を備えており、プラント通常運転時に水張りライン５０を介してドレンライン１２の所定の水位Ｌまで水張りを行うとともに、差圧式水位計２０を用いてドレンライン１２の水位を監視し、蒸発等によりドレンライン１２の水位が所定の水位Ｌより低下したときは水張りライン５０から注水することにより、検出配管１４を満水状態に維持する。なお、所定の水位Ｌは、検出配管１４との接続点よりも上流側に位置するのであれば特に限定されない。
【００２７】
上記のように構成した本実施の形態においても、第１の実施の形態と同様の効果が得られる。さらに、検出配管１４を満水待機させることにより、検出配管１４内の残留空気が排除され、差圧式水位計２０による原子炉ウェル水位の計測精度の低下が抑制される。
【００２８】
＜その他の実施の形態＞
以上、本発明を実施の形態に基づいて説明したが、本発明は上記の実施の形態に限定されるものではない。例えば、図１に示した第１の実施の形態において、検出配管１４に図２に示した洗浄用ライン４０を接続しても良く、また、図２に示した第２の実施の形態において、洗浄用ライン４０を省略しても良い。あるいは、図４に示した第３の実施の形態において、差圧式水位計２０を図２に示した隔膜式水位計３０に置き換えても良い。
【符号の説明】
【００２９】
１  原子炉圧力容器
１ａ  圧力容器フランジ部
１ｂ  圧力容器上蓋
２  格納容器
２ａ  格納容器フランジ部
２ｂ  格納容器トップヘッド
３  原子炉ウェル
４  機器仮置きプール
５  使用済燃料プール
６  ウェルカバー
７，８  スロットプラグ
９  プールゲート
１０  ウェル堰
１１  原子炉ウェル注水ライン
１２  原子炉ウェルドレンライン
１３  原子炉ウェルドレンライン止め弁
１４  検出配管
１５  検出元弁
２０  差圧式水位計
３０  隔膜式水位計
３１  圧力計
３２ａ，３２ｂ  圧力計配管
３３ａ，３３ｂ  隔膜
４０  洗浄用ライン
４１  洗浄用ライン開閉弁
５０  純水供給ライン（水張りライン）
１００，２００，３００  原子力プラント
【図１】
0006294168.tif 000002
【図２】
0006294168.tif 000003
【図３】
0006294168.tif 000004
【図４】
0006294168.tif 000005